(57)【要約】【課題】補助放電セルを備えたパネルの放電ガスのキセノン分圧を増加させても安定した初期化放電を発生させる。【解決手段】前面基板上に互いに平行となるように配置した走査電極および維持電極からなる複数の表示電極対と、放電空間を挟んで前面基板に対向配置された背面基板上に表示電極対と交差しかつ互いに平行となるように配置した複数のデータ電極と、表示電極対とデータ電極との交差部のそれぞれで主放電を発生させる複数の主放電セル４０、および主放電セル４０と主放電セル４０との間で補助放電を発生させる複数のプライミング放電セルに放電空間を区画する隔壁とを備え、隔壁はデータ電極に平行な縦壁部３４ａと表示電極対に平行な横壁部３４ｂとを有し、主放電セル４０を前面基板側から見たとき、主放電セル４０を区画する横壁部３４ｂと走査電極および維持電極との間に間隔を設けた。【選択図】図３
2006351259.tif 000002
【特許請求の範囲】
【請求項１】
第１の基板上に互いに平行となるように配置した走査電極および維持電極からなる複数の表示電極対と、
放電空間を挟んで前記第１の基板に対向配置された第２の基板上に前記表示電極対と交差し、かつ互いに平行となるように配置した複数のデータ電極と、
前記表示電極対と前記データ電極との交差部のそれぞれで主放電を発生させる複数の主放電セル、および主放電セルと主放電セルとの間で補助放電を発生させる複数の補助放電セルに前記放電空間を区画する隔壁とを備え、
前記隔壁は、前記データ電極に平行な縦壁部と前記表示電極対に平行な横壁部とを有し、
前記主放電セルを前記第１の基板側から見たとき前記主放電セルを区画する横壁部と前記表示電極対との間に間隔を設けたことを特徴とするプラズマディスプレイパネル。
【請求項２】
前記主放電セルを前記第１の基板側から見たとき前記主放電セルを区画する横壁部と前記表示電極対との間に設けた前記間隔は３０μｍ以上であることを特徴とする請求項１に記載のプラズマディスプレイパネル。
【請求項３】
前記走査電極および前記維持電極はそれぞれ透明電極と金属母線とを有し、前記主放電セルを前記第１の基板側から見たとき、前記金属母線を前記主放電セルの領域外に設けたことを特徴とする請求項１または請求項２に記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
プラズマディスプレイパネル（以下、「パネル」と略記する）は、大画面、薄型、軽量であることを特徴とする視認性に優れた表示デバイスである。
【０００３】
パネルは、一般に、対向配置された前面板と背面板との間に多数の放電セルを形成して構成されている。前面板は走査電極と維持電極とからなる表示電極対が前面ガラス基板上に複数対形成され、背面板は背面ガラス基板上に複数の平行なデータ電極が形成され、表示電極対とデータ電極とが立体交差するように前面板と背面板とが対向、密封されている。そして表示電極対とデータ電極とが立体交差する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、１フィールド期間を複数のサブフィールドに分割した上で、発光させるサブフィールドの組み合わせによって階調表示を行う、いわゆるサブフィールド法が一般的である。ここで、各サブフィールドは初期化期間、書込み期間および維持期間をもつ。
【０００５】
初期化期間では、すべての放電セルで一斉に初期化放電を行い、それ以前の個々の放電セルに対する壁電荷の履歴を消すとともに、続く書込み動作のために必要な壁電荷を形成する。加えて、書込み放電を安定に発生させるためのプライミング（放電のための起爆剤＝励起粒子）を発生させるという働きをもつ。
【０００６】
書込み期間では、走査電極に順次走査パルスを印加するとともに、データ電極には表示すべき画像信号に対応した書込みパルスを印加し、走査電極とデータ電極との間で選択的に書込み放電をおこし、選択的な壁電荷形成を行う。
【０００７】
続く維持期間では、走査電極と維持電極との間に所定の回数の維持パルスを印加し、書込み放電による壁電荷形成を行った放電セルを選択的に維持放電させ発光させる。この維持放電（および書込み放電）は画像を表示するための主放電である。
【０００８】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電をおこり難くしていること等、書込み放電に関しては放電遅れを大きくする要因が多い。したがって、書込み放電を安定して発生させるためのプライミングが非常に重要となる。
【０００９】
本発明者らは、パネルに補助放電セルを設け補助放電によって生じたプライミングを用いて書込み放電を安定して発生させることができる新規なパネルとその駆動方法を提案してきた（例えば、特許文献１参照）。
【特許文献１】特開２００４−２９６３１２号公報
【発明の開示】
【発明が解決しようとする課題】
【００１０】
近年、消費電力削減や輝度向上の要求にこたえるために、パネルの構造やパネル材料等に対する検討が活発になされている。例えば、パネルに封入されている放電ガスのキセノン分圧を増加させることによりパネルの発光効率が向上することが一般に知られている。しかしながら、上述のパネルにおいて単純にキセノン分圧を増加させると初期化放電が不安定になり、誤放電する放電セルが発生する等の問題があった。
【００１１】
本発明はこれらの課題に鑑みなされたものであり、補助放電セルを備えたパネルの放電ガスのキセノン分圧を増加させても安定した初期化放電を発生させることができ、発光効率が高くかつ安定した放電で品質の高い画像表示が可能なパネルを提供することを目的とする。
【課題を解決するための手段】
【００１２】
本発明のパネルは、第１の基板上に互いに平行となるように配置した走査電極および維持電極からなる複数の表示電極対と、放電空間を挟んで第１の基板に対向配置された第２の基板上に表示電極対と交差しかつ互いに平行となるように配置した複数のデータ電極と、表示電極対とデータ電極との交差部のそれぞれで主放電を発生させる複数の主放電セル、および主放電セルと主放電セルとの間で補助放電を発生させる複数の補助放電セルに放電空間を区画する隔壁とを備え、隔壁はデータ電極に平行な縦壁部と表示電極対に平行な横壁部とを有し、主放電セルを第１の基板側から見たとき主放電セルを区画する横壁部と表示電極対との間に間隔を設けたことを特徴とする。この構成により、補助放電セルを備えたパネルの放電ガスのキセノン分圧を増加させても安定した初期化放電を発生させることができ、発光効率が高くかつ安定した放電で品質の高い画像表示が可能なパネルを提供することができる。
【００１３】
また本発明のパネルは、主放電セルを第１の基板側から見たとき主放電セルを区画する横壁部と表示電極対との間に設けた間隔が３０μｍ以上であることが望ましい。
【００１４】
また本発明のパネルの走査電極および維持電極は、それぞれ透明電極と金属母線とを有し、主放電セルを第１の基板側から見たとき金属母線を主放電セルの領域外に設けてもよい。この構成により、蛍光体層で発生した可視光が金属母線によって遮られることなく、輝度の高いパネルを実現することができる。
【発明の効果】
【００１５】
本発明によれば、補助放電セルを備えたパネルの放電ガスのキセノン分圧を増加させても安定した初期化放電を発生させることができ、発光効率が高くかつ安定した放電で品質の高い画像表示が可能なパネルを提供することが可能となる。
【発明を実施するための最良の形態】
【００１６】
以下、本発明の実施の形態におけるパネルについて、図面を用いて説明する。
【００１７】
（実施の形態１）
図１は本発明の実施の形態１におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１８】
前面基板２１上には、走査電極２２と維持電極２３とからなる表示電極対が互いに平行に複数対形成されている。このとき、走査電極２２、維持電極２３は、走査電極２２−維持電極２３−維持電極２３−走査電極２２−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられている。さらに走査電極２２−走査電極２２間には光吸収層２８上に補助走査電極２６が形成されている。そして、これらの走査電極２２、維持電極２３、補助走査電極２６および光吸収層２８を覆うように誘電体層２４および保護層２５が形成されている。
【００１９】
背面基板３１上には、走査電極２２および維持電極２３と交差する方向にデータ電極３２が互いに平行に複数形成され、そしてデータ電極３２を覆うように誘電体層３３ａが形成されている。誘電体層３３ａの上には、走査電極２２と平行にプライミング電極３６が複数形成されている。誘電体層３３ａはデータ電極３２とプライミング電極３６との間を絶縁している。そして、プライミング電極３６を覆うように誘電体層３３ｂが形成され、さらにその上に主放電を発生させる主放電セル４０を区画するための隔壁３４が形成されている。
【００２０】
隔壁３４は、データ電極３２と平行な方向に延びる縦壁部３４ａと、主放電セル４０を形成しかつ主放電セル４０の間に隙間部４１を形成する横壁部３４ｂとを有する。その結果、隔壁３４は一対の走査電極２２と維持電極２３とからなる表示電極対に沿って主放電セル４０を複数連結した主放電セル行を形成し、隣接した主放電セル行の間に隙間部４１を生じる。隙間部４１のうち、２本の走査電極２２が隣り合う側に位置する隙間部４１にプライミング電極３６が形成されており、この隙間部４１は補助放電セルであるプライミング放電セル４１ａとして働く。すなわち隙間部４１は１つおきにプライミング電極３６を有するプライミング放電セル４１ａとなっている。なお、隙間部４１ｂは２本の維持電極２３が隣り合う側に位置する隙間部である。
【００２１】
そして、隔壁３４により区画された主放電セル４０に対応する誘電体層３３ｂの表面と隔壁３４の側面とに蛍光体層３５が設けられている。さらに、プライミング放電セル４１ａに対応する誘電体層３３ｂの表面と隔壁３４の側面とに酸化マグネシウム（ＭｇＯ）粉黛を用いた電子放出層３９が設けられている。電子放出層３９の材料としては２次電子放出係数の大きい材料であればよく、他の金属酸化物等であってもよい。
【００２２】
前面基板２１と背面基板３１との間の放電空間には、キセノン、ヘリウム、ネオン、アルゴンのうち１種類または２種類以上の希ガスを混合した放電ガスを所定の圧力（例えば、６．７×１０４Ｐａ）で封入する。本実施の形態においてはネオンとキセノンの混合ガスを使用し、キセノン分圧を２０％とした。以上のようにして表示電極対とデータ電極との交差部に多数の主放電セルをもつパネルが構成されている。
【００２３】
図３は本発明の実施の形態１におけるパネルの隔壁３４と表示電極対との位置関係を示すための図であり、図３（ａ）はパネル断面の拡大図、図３（ｂ）は同パネルを前面基板２１側から見た平面図である。なお図３は要点を見やすくするために、表示電極対および隔壁以外の構成要素を省略して示した。本実施の形態においては横壁部３４ｂは、幅がおよそ４０μｍ、高さがほぼ１２０μｍの断面形状となるように設計され、２つの横壁部３４ｂの間に形成された主放電セル４０の幅は４５５μｍとなるように設計されている。そして、走査電極２２、維持電極２３の幅はともに１４７．５μｍ、走査電極２２と維持電極２３との間に形成される放電ギャップの幅が８０μｍに設計されている。これらの寸法は、前面基板２１側から主放電セル４０を見たとき、表示電極対と横壁部３４ｂとの間に間隔があくように選択されている。本実施の形態においては、図３に示したように、走査電極２２と横壁部３４ｂとの間隔、および維持電極２３と横壁部３４ｂとの間隔がともに４０μｍとなるように設計されている。以下、これらの間隔を「隔壁−電極間隔」と略記する。
【００２４】
図４は本発明の実施の形態１におけるパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが走査電極ＳＣ１−維持電極ＳＵ１−維持電極ＳＵ２−走査電極ＳＣ２−・・・となるように２本ずつ交互に配列されている。そして、隣り合う走査電極の間にはｎ／２本の補助走査電極ＨＳ１、ＨＳ３、・・・（図１の補助走査電極２６）とｎ／２本のプライミング電極ＰＲ１、ＰＲ３、・・・（図１のプライミング電極３６）とが配列されている。そして、補助走査電極ＨＳｐ（ｐは奇数）と走査電極ＳＣｐとは電気的に接続されている。
【００２５】
ここで、補助走査電極ＨＳｐとプライミング電極ＰＲｐとはプライミングを発生させるための補助放電電極として働く。
【００２６】
そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ，ｊ（図１の主放電セル４０）が放電空間内にｍ×ｎ個形成される。また１〜ｎ行のうちの奇数行に補助走査電極ＨＳｐとプライミング電極ＰＲｐとを含むプライミング放電セルＰＳｉ（図１のプライミング放電セル４１ａ）が形成される。
【００２７】
次に、パネルを駆動するための駆動波形とそのタイミングについて説明する。
【００２８】
図５は、本発明の実施の形態１におけるパネルの駆動波形図である。なお本発明の実施の形態においては、１フィールド期間が初期化期間、書込み期間、維持期間を有する複数のサブフィールドから構成され、最初のサブフィールドの初期化期間は画像表示にかかわるすべての主放電セルで初期化放電を発生させる全セル初期化動作を行い、２番目以降のサブフィールドはその直前のサブフィールドの維持期間で維持放電を行った主放電セルで選択的に初期化放電を発生させる選択初期化動作を行うものとして説明する。全セル初期化期間を２つに分けて前半部、後半部と呼ぶことにする。
【００２９】
最初のサブフィールドの初期化期間前半部では、データ電極Ｄｊ、維持電極ＳＵｉをそれぞれ０（Ｖ）に保持し、走査電極ＳＣｉには電圧Ｖｉ１から、維持電極ＳＵｉおよびデータ電極Ｄｊに対して放電開始電圧を超える電圧Ｖｉ２に向かって緩やかに上昇する傾斜波形電圧を印加する。また、プライミング電極ＰＲｐには電圧Ｖｙから電圧Ｖｚに向かって緩やかに下降する傾斜波形電圧を印加する。すると、主放電セルＣｉ，ｊ内部およびプライミング放電セルＰＳｉ内部では、走査電極ＳＣｉと維持電極ＳＵｉ、走査電極ＳＣｉとデータ電極Ｄｊ、補助走査電極ＨＳｐとプライミング電極ＰＲｐとの間でそれぞれ微弱な初期化放電がおこる。このとき、主放電セルＣｉ，ｊ内で放電が発生する前に、まず最初にプライミング放電セルＰＳｉ内の補助走査電極ＨＳｐとプライミング電極ＰＲｐとの間で微弱なプライミング放電がおこる。このときのプライミング放電は放電遅れの小さい安定した放電である。そして主放電セルＣｉ，ｊ内部にプライミングが供給される。続いて、主放電セルＣｉ，ｊ内で走査電極ＳＣｉと維持電極ＳＵｉ、データ電極Ｄｊとの間でそれぞれ微弱な初期化放電がおこる。このときの放電は主放電セルＣｉ，ｊ内部にプライミングが供給された後に発生するため、非常に安定した初期化放電となる。
【００３０】
そして、走査電極ＳＣｉおよび補助走査電極ＨＳｐ上部に負の壁電圧が蓄積されるとともに、データ電極Ｄｊ上部、維持電極ＳＵｉ上部およびプライミング電極ＰＲｐ上部には正の壁電圧が蓄積される。ここで、電極上部の壁電圧とは電極を覆う誘電体層上、保護層上、蛍光体層上あるいは隔壁上等に蓄積された壁電荷により生じる電圧をあらわす。
【００３１】
本実施の形態におけるパネルの放電ガスのキセノン分圧は２０％であり、従来のパネルよりも高く設定されているにもかかわらず、走査電極２２と横壁部３４ｂとの間隔および維持電極２３と横壁部３４ｂとの間隔、すなわち隔壁−電極間隔が４０μｍとなるように設計したことにより、安定した初期化放電が可能となっている。なお、隔壁−電極間隔は実験的に求めたものであり、詳細については後述する。
【００３２】
初期化期間後半部では、維持電極ＳＵｉを正電圧Ｖｅに、プライミング電極ＰＲｐの電圧を０（Ｖ）に保ち、走査電極ＳＣｉには、維持電極ＳＵｉおよびデータ電極Ｄｊに対して放電開始電圧以下となる電圧Ｖｉ３から放電開始電圧を超える電圧Ｖｉ４に向かって緩やかに下降する傾斜波形電圧を印加する。この間に、走査電極ＳＣｉと維持電極ＳＵｉ、走査電極ＳＣｉとデータ電極Ｄｊ、補助走査電極ＨＳｐとプライミング電極ＰＲｐとの間でそれぞれ微弱な初期化放電がおこる。そして、走査電極ＳＣｉ上部の負の壁電圧および維持電極ＳＵｉ上部の正の壁電圧が弱められ、データ電極Ｄｊ上部の正の壁電圧は書込み動作に適した値に調整され、プライミング電極ＰＲｐ上部の正の壁電圧もプライミング動作に適した値に調整される。以上により画像表示にかかわる全放電セルを初期化放電させる全セル初期化動作が終了する。
【００３３】
書込み期間では、走査電極ＳＣｉを一旦電圧Ｖｃに保持する。そして、プライミング電極ＰＲｐに電圧（Ｖｃ−Ｖｉ４）とほぼ等しい電圧Ｖｑを印加する。
【００３４】
次に、１行目の走査電極ＳＣ１に走査パルス電圧Ｖａを印加する。すると、プライミング電極ＰＲ１上部と補助走査電極ＨＳ１の上部との間の電圧差は、電圧（Ｖｑ−Ｖａ）にプライミング電極ＰＲ１上部の壁電圧が加算されたものとなり、放電開始電圧を超えプライミング放電が発生する。そして、１行目の主放電セルＣ１，ｊおよび２行目の主放電セルＣ２，ｊ内部にプライミングを拡散させる。このときの放電は上述したようにプライミング放電セルＰＳ１が放電しやすい構造であるため放電遅れが小さく高速で安定したプライミング放電が得られる。また、この放電によってプライミング電極ＰＲ１上部に負の壁電圧が蓄積される。
【００３５】
このとき同時に、データ電極Ｄｊのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する主放電セルＣ１，ｋの維持電極ＳＵ１と走査電極ＳＣ１との間の放電に進展する。そして、主放電セルＣ１，ｋの走査電極ＳＣ１上部に正電圧が蓄積され、維持電極ＳＵ１上部に負電圧が蓄積され、１行目の書込み動作が終了する。
【００３６】
ここで、１行目の書込み動作は、走査電極ＳＣ１の走査にともなってプライミング放電を発生させるとともに書込みを行う。そして、主放電セルＣ１，ｋの書込み放電は、補助走査電極ＨＳ１とプライミング電極ＰＲ１との間で発生したプライミング放電からプライミングが供給されつつ発生するので放電遅れが小さく安定した放電となる。
【００３７】
次に、２行目の走査電極ＳＣ２に走査パルス電圧Ｖａを印加する。このとき同時に、データ電極Ｄｊのうち２行目に表示すべき画像信号に対応するデータ電極Ｄｋに正の書込みパルス電圧Ｖｄを印加する。すると、データ電極Ｄｋと走査電極ＳＣ２との交差部で放電が発生し、対応する主放電セルＣ２，ｋの維持電極ＳＵ２と走査電極ＳＣ２との間の放電に進展する。そして、主放電セルＣ２，ｋの走査電極ＳＣ２上部に正電圧が蓄積され、維持電極ＳＵ２上部に負電圧が蓄積され、２行目の書込み動作が終了する。
【００３８】
ここで、２行目の主放電セルＣ２，ｋの書込み動作は、補助走査電極ＨＳ１とプライミング電極ＰＲ１との間で発生したプライミング放電から十分なプライミングがすでに供給された状態で発生する。したがって、書込み放電の放電遅れは小さく、安定した放電となる。
【００３９】
以下、同様の書込み動作をｎ行目の主放電セルＣｎ，ｊに至るまで行い、書込み動作が終了する。
【００４０】
維持期間においては、走査電極ＳＣｉ、プライミング電極ＰＲ１〜ＰＲｎ−１および維持電極ＳＵｉを０（Ｖ）に一旦戻す。その後、走査電極ＳＣｉに正の維持パルス電圧Ｖｓを印加する。このとき、書込み放電をおこした主放電セルＣｉ，ｋにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣｉと維持電極ＳＵｉとに維持パルスを交互に印加することにより、書込み放電をおこした主放電セルＣｉ，ｋに対して維持パルスの回数だけ維持放電が継続して行われる。
【００４１】
続くサブフィールドの初期化期間では、維持電極ＳＵｉを正電圧Ｖｅに保ち、走査電極ＳＣｉには電圧Ｖｉ４に向かって緩やかに下降する傾斜波形電圧を印加する。すると、維持放電を行った主放電セルＣｉ，ｋの走査電極ＳＣｉと維持電極ＳＵｉ、データ電極Ｄｋとの間でそれぞれ微弱な初期化放電がおこる。そして、走査電極ＳＣｉ上部および維持電極ＳＵｉ上部の壁電圧が弱められ、データ電極Ｄｋ上部の正の壁電圧は書込み動作に適した値に調整され、プライミング電極ＰＲｐ上部の正の壁電圧もプライミング動作に適した値に調整される。
【００４２】
この後の書込み期間、維持期間および続くサブフィールドの駆動波形とパネルの動作は上述と同様である。
【００４３】
次に、隔壁−電極間隔と初期化放電の安定性との関係について説明する。プライミング放電セルを備えたパネルでは、書込み放電だけでなく初期化放電も安定して発生するが、従来の構造のパネルでは、キセノン分圧を増加させていくと初期化期間において異常な強放電が発生しやすくなる傾向があった。本発明者らは、初期化期間前半部において緩やかに上昇する傾斜波形電圧が電圧Ｖｉ２に近づいたときにこの異常な強放電が発生することに注目した。電圧Ｖｉ２に近づいたときの放電は横壁部３４ｂ付近まで広がっていると考えられるので、このときの放電に影響を与えると考えられる隔壁−電極間隔について、異常な強放電との関係を詳細に調べた。
【００４４】
図６は、放電ガスのキセノン分圧が２０％であるパネルを用いて、隔壁−電極間隔に対する異常な強放電の発生度合いを測定した実験結果を示す図である。ここで、横軸は隔壁−電極間隔を示し、縦軸は異常な強放電の発生度合い（相対値）を示す。このように隔壁−電極間隔と異常放電との間に明らかな相関関係があり、隔壁−電極間隔を大きく設定すると初期化放電が安定して発生することが明らかとなった。本実施の形態のパネルにおいては図６に示すように、異常放電が発生することなく安定した初期化放電を発生させるためには、隔壁−電極間隔を少なくとも３０μｍ以上に設定する必要があることがわかった。
【００４５】
なお、隔壁−電極間隔が大きくなると維持放電の広がりも制限され発光輝度が低下するため、必要以上に隔壁−電極間隔を広げることは望ましくない。したがって、放電セルの設定毎に隔壁−電極間隔と異常放電との関係を調べて、その結果に基づき隔壁−電極間隔を最適に設定することが望ましい。
【００４６】
（実施の形態２）
図７は本発明の実施の形態２におけるパネルの隔壁と表示電極対との位置関係を示すための図であり、図７（ａ）はパネル断面の拡大図、図７（ｂ）、図７（ｃ）は同パネルを前面基板側から見た平面図である。なお、図７は要点を見やすくするために、表示電極対および隔壁以外の構成要素を省略して示した。前面基板２１上には、走査電極２２と維持電極２３とからなる表示電極対が互いに平行に複数対形成されている。このとき、走査電極２２、維持電極２３は、走査電極２２−維持電極２３−維持電極２３−走査電極２２−・・・となるように２本ずつ交互に配列されている。走査電極２２−走査電極２２間、および維持電極２３−維持電極２３間には黒色材料からなる光吸収層２８が設けられている。そして、これらの走査電極２２、維持電極２３および光吸収層２８を覆うように誘電体層２４および保護層２５が形成されている。
【００４７】
ここまでは実施の形態１におけるパネルと同様である。しかし、実施の形態２におけるパネルの走査電極２２と維持電極２３はそれぞれ透明電極２２ａ、２３ａから構成され、透明電極２２ａ、２３ａと重ならない位置に金属母線２２ｂ、２３ｂが形成されている。そして透明電極２２ａ、２３ａと金属母線２２ｂ、２３ｂとは接続線２２ｃ、２３ｃによって電気的に接続されている。図７に示すように、実施の形態２におけるパネルの金属母線２２ｂ、２３ｂは主放電セル４０を前面基板２１側から見たとき主放電セル４０の領域外に設けられているために、蛍光体層３５で発生した可視光が金属母線２２ｂ、２３ｂによって遮られることなく、輝度の高いパネルを実現することができる。また、奇数番目の走査電極ＳＣｐに対応する金属母線２２ｂはプライミング放電セル内部の光吸収層２８上まで突出しており、この突出部分は補助走査電極２６として働く。
【００４８】
接続線２２ｃ、２３ｃは図７（ｂ）に示したように主放電セル４０内部の領域に設けてもよく、また、図７（ｃ）に示したように縦壁部３４ａと重なる位置に設けてもよい。主放電セル４０内部の領域に設けた場合には、主放電セル４０内部で横壁部３４ｂと接続線２２ｃ、２３ｃとが重なる領域が生じるため、初期化放電の安定性がやや悪くなる傾向にある。しかし、縦壁部３４ａと重なる位置に設ける場合に比べてパネル組み立て精度が緩和されるため製造上有利である。また、この場合、蛍光体層３５で発生した可視光を接続線２２ｃ、２３ｃによって遮ることがないように、接続線２２ｃ、２３ｃをＩＴＯ等の透明電極材料を用いて形成することが望ましい。
【００４９】
背面基板３１、データ電極３２、プライミング電極３６、隔壁３４、蛍光体層３５、放電ガス等については実施の形態１と同様であるため説明を省略する。
【００５０】
なお、実施の形態１および実施の形態２において、前面基板側に補助走査電極、背面基板側にプライミング電極を有するプライミング放電セルを備えた構造のパネルを例に説明したが、プライミング放電セルの構造はこれに限られるものではない。例えば、プライミング放電セル内で隣接する走査電極間でプライミング放電を発生させる構造、前面基板側に設けたプライミング電極とデータ電極間でプライミング放電を発生させる構造等のパネルにおいても本発明を実施することができる。
【産業上の利用可能性】
【００５１】
本発明のパネルは、補助放電セルを備えたパネルの放電ガスのキセノン分圧を増加させても安定した初期化放電を発生させることができるので、発光効率が高くかつ安定した放電で品質の高い画像表示が可能なパネルとして有用である。
【図面の簡単な説明】
【００５２】
【図１】本発明の実施の形態１におけるパネルの構造を示す分解斜視図
【図２】同パネルの断面図
【図３】同パネルの隔壁と表示電極対との位置関係を示すための図
【図４】同パネルの電極配列図
【図５】同パネルの駆動波形図
【図６】隔壁−電極間隔に対する異常な強放電の発生度合いを測定した実験結果を示す図
【図７】本発明の実施の形態２におけるパネルの隔壁と表示電極対との位置関係を示すための図
【符号の説明】
【００５３】
２１    前面基板
２２    走査電極
２２ａ，２３ａ    透明電極
２２ｂ，２３ｂ    金属母線
２２ｃ，２３ｃ    接続線
２３    維持電極
２４    誘電体層
２５    保護層
２６    補助走査電極
２８    光吸収層
３１    背面基板
３２    データ電極
３３ａ，３３ｂ    誘電体層
３４    隔壁
３４ａ    縦壁部
３４ｂ    横壁部
３５    蛍光体層
３６    プライミング電極
３９    電子放出層
４０    主放電セル
４１ａ    プライミング放電セル
【図１】
2006351259.tif 000003
【図２】
2006351259.tif 000004
【図３】
2006351259.tif 000005
【図４】
2006351259.tif 000006
【図５】
2006351259.tif 000007
【図６】
2006351259.tif 000008
【図７】
2006351259.tif 000009